(57)【要約】【課題】巡回型の雑音軽減回路に関して、入力の画像信号には存在していなかった動き成分の信号が新たな雑音となり画面に現れるのを防止することにある。【解決手段】雑音軽減に用いる入力画像信号と予め定められた時間だけ隔てた画像信号との差分信号から雑音成分を抽出するとき、複数の高域通過濾波器と選択回路１０ａ〜１０ｃを設け、通過した信号レベルを判定することで画像の動き成分が最も少ない角度方向の高域通過濾波器を選択し、さらに通過帯域の異なる高域通過濾波器群の中から最も大きなレベルの雑音成分を選択し７ａ、この雑音成分を使って画像信号から減算することで、画像の動き成分による雑音が発生しない雑音軽減回路を構成するものである。【選択図】　　　図５
2004048646.tif 000002
【特許請求の範囲】
【請求項１】
入力画像信号と予め定められた時間だけ隔てた画像信号との差分に、１次元または２次元のフィルタリングを施して雑音を抽出し、前記入力画像信号から前記雑音を減算して画像信号の雑音を軽減させるようにした画像信号の雑音軽減回路において、
前記差分から、水平方向成分の高域通過濾波器を介して得た信号の絶対値と、
前記差分から、垂直方向成分の高域通過濾波器を介して得た信号の絶対値とを比較し、
前記絶対値が小さな方の原信号を前記入力画像信号から減算して画像信号の雑音を軽減させるようにしたことを特徴とする画像信号の雑音軽減回路。
【請求項２】
入力画像信号と予め定められた時間だけ隔てた画像信号との差分に、１次元または２次元のフィルタリングを施して雑音を抽出し、前記入力画像信号から前記雑音を減算して画像信号の雑音を軽減させるようにした画像信号の雑音軽減回路において、
前記差分から、水平方向成分の高域通過濾波器を介して得た信号の絶対値と、
前記差分から、垂直方向成分の高域通過濾波器を介して得た信号の絶対値と、
前記差分から、１つまたは複数の斜め方向成分の高域通過濾波器を介して得た信号の絶対値と、
前記差分から、前記１つまたは複数の斜め方向と直交する方向成分の１つまたは複数の高域通過濾波器を介して得た信号の絶対値とを比較し、
前記絶対値が最も小さい方の原信号を前記入力画像信号から減算して画像信号の雑音を軽減させるようにしたことを特徴とする画像信号の雑音軽減回路。
【請求項３】
前記水平方向成分の高域通過濾波器、前記垂直方向成分の高域通過濾波器、前記１つまたは複数の斜め方向成分の高域通過濾波器、および前記１つまたは複数の斜め方向と直交する方向成分の１つまたは複数の高域通過濾波器は、それぞれの方向成分の高域通過濾波器毎に、通過帯域特性が異なる複数の高域通過濾波器が設けられると共に、前記それぞれの中で、通過信号の絶対値が最大の高域通過濾波器を選択する構成であることを特徴とする請求項２に記載の画像信号の雑音軽減回路。
【発明の詳細な説明】
【０００１】
【発明の属する技術分野】
本発明はビデオカメラなどの画像信号処理装置に係り、特に画像信号に含まれている雑音を除去して高画質化を図るための雑音軽減回路に関するものである。
【０００２】
【従来の技術】
画像信号に含まれている雑音を除去して高画質化を図るために、従来から雑音軽減回路が使用されて来ていることは周知のとおりである。そして、この雑音軽減回路には画像信号の時間軸方向（フィールド間またはフレーム間）の非線形低域通過濾波器により構成されていること、および、画像信号をフレームメモリに記憶してＮ枚の画像の画像信号（Ｎフレームの画像信号）の平均を求めると、フレーム間において画像信号に変化がない場合には、画像信号にはレベルの変化はないが、フレーム間で相関のない雑音は、電力で１／Ｎ、平均振幅で１／√Ｎのレベルに減少するということが雑音軽減回路における雑音軽減（雑音低減）の原理であること、さらに、フレームメモリを複数枚使用することが必要とされる非巡回型の雑音軽減回路に代わって、１枚のフレームメモリを使用して簡単に巡回型の雑音軽減回路が構成できること、ならびに、加減算器だけを使用し乗算器を使用しないで雑音軽減回路を構成させうることなどは周知のとおりである。
【０００３】
図８及び図１０は画像信号の雑音軽減回路の従来例を示すブロック図であり、同図において、１は画像信号の入力端子、２は出力端子、３、４は減算回路、８は帰還係数回路、９はメモリ（例えばフィールドメモリあるいはフレームメモリのように、予め定められた期間の画像信号を記憶できるメモリ）である。また図１０において１２は高域通過濾波器（以下ＨＰＦと記す）である。ここで、図８、図１０に例示した従来例の雑音軽減回路や、図１、図５および図７に示す本発明の雑音軽減回路などは、ディジタル回路で構成されているものであるが、構成や動作の理解を容易にするために、図２、図９、図１１に示されているようなアナログ信号による波形図を説明に使用するものとする。
【０００４】
まず、図８に示されている従来の雑音軽減回路において、入力端子１に供給された図９に示されている画像信号Ｔａが、減算器３、４に対して被減数信号として与えられている。前記減算器４では、入力端子１を介して供給された入力画像信号Ｔａから、帰還係数回路８からの出力信号Ｔｄ（図９のＴｄ）を減算した結果の信号Ｔｅ（図９のＴｅ）を出力端子２に送出するとともにメモリ９に供給する。
【０００５】
このメモリ９から出力された画像信号Ｔｂ（図９のＴｂ）は、減算器３に減数信号として供給されており、減算器３では、入力の画像信号Ｔａからメモリ９の出力信号Ｔｂを減算して得られる図９のＴｃに示されているような信号Ｔｃを帰還係数回路８に与える。
図８に示されている従来の雑音軽減回路は、１個のメモリ９（予め定められた時間だけ隔てた画像信号間の差分を発生させるために用いられるフィールドメモリ、あるいはフレームメモリ）を使用して構成された巡回型の雑音軽減回路であるが、同図に示されている従来の雑音軽減回路においては、予め定められた時間だけ隔てた画像信号間の差分Ｔｃ、すなわち、減算器３から出力される差分の信号Ｔｃには雑音と画像の動きの成分との双方が含まれている。
【０００６】
そこで、図８に示す雑音軽減回路では、雑音によって生じる前記の差分の信号Ｔｃは小さく、また画像の動きによって生じる差分の信号Ｔｃは大きいという前提の下に、予め定められた時間だけ隔てた画像信号間の差分Ｔｃが小さい場合には帰還係数が大きく、また予め定められた時間だけ隔てた画像信号間の差分Ｔｃが大きい場合には帰還係数が小さくなるような入出力特性を備えている帰還係数回路８を使用している。図３および図４は前記した帰還係数回路８の入出力特性を例示したものであり、同図の横軸は帰還係数回路８の入力振幅、縦軸は帰還係数回路８の出力振幅特性を表わしている。
【０００７】
ところで、図８に示されている従来の雑音軽減回路では、予め定められた時間だけ隔てた画像信号間の差分Ｔｃが大きな期間における出力信号が図９のＴｅに示されているように雑音の軽減が良好に行われず、この期間に帯状の残像が発生することが問題になった。
【０００８】
そこで図８に示す従来の雑音軽減回路における問題点を解決するために、図１０に示すような雑音軽減回路が提案された。この図１０に示されている雑音軽減回路は、図８を参照して前述した従来の雑音軽減回路における、予め定められた時間だけ隔てた画像信号間の差分の信号Ｕｃにおける比較的低い周波数成分は、統計的にみて画像の動きの成分であることが多く、また高い周波数成分には雑音が多く含まれている、という点に着目して構成されたものである。すなわち、図８に示されている雑音軽減回路における減算器３の出力信号が、ＨＰＦ１２を介して帰還係数回路８に供給されるように雑音軽減回路が構成されているものである。こうした構成により、図１０に示す雑音軽減回路によれば、予め定められた時間だけ隔てた画像信号間の差分Ｕｃが大きな期間に帯状の残像が発生することがなくなる。
【０００９】
なお巡回型の雑音軽減回路の従来技術として、次の特許文献１および非特許文献１などがよく知られている。
【００１０】
【特許文献１】
特許第２５４５９６９号公報
【００１１】
【非特許文献１】
「画像のディジタル信号処理」吹抜敬彦著、日刊工業新聞社、１１５〜１１８頁
【００１２】
【発明が解決しようとする課題】
ところで、前記した図１０に示す雑音軽減回路では、入力端子１　に供給された図１１のＵａに示されている画像信号が、減算器３、４に対して被減数信号として与えられており、前記した減算器４では、前記した入力端子１を介して供給された入力画像信号Ｕａから、帰還係数回路８からの出力信号Ｕｅ（図１１のＵｅ）を減算した結果の信号Ｕｆ（図１１のＵｆ）が出力端子２に送出するとともにメモリ９に供給される。
また前記したメモリ９から出力された画像信号Ｕｂ（図１１のＵｂ）は減算器３に減数信号として供給されており、減算器３では入力の画像信号Ｕａからメモリ９の出力信号Ｕｂを減算して得られる図１１のＵｃに示されているような信号ＵｃがＨＰＦ１２を介して帰還係数回路８に与えられる。
【００１３】
そして、この図１０に示されている巡回型の雑音軽減回路において、予め定められた時間だけ隔てた画像信号間の差分Ｕｃ、すなわち減算器３から出力される差分の信号Ｕｃには雑音と画像の動きの成分との双方が含まれているが、それの高域周波数成分がＨＰＦ１２により抽出され、それが雑音として帰還係数回路８に供給される。
したがって、同図に示す雑音軽減回路では予め定められた時間だけ隔てた画像信号間の差分の信号ＵｃをＨＰＦ１２に与えているために、前記した差分の信号Ｕｃにおける信号レベルの急変部に対応して図１１のＵｅ、Ｕｆに示されているように入力の画像信号には存在していなかった雑音が生じることが問題になる。
【００１４】
本発明は、以上の点に鑑みなされたもので、画像に動きの成分が含まれている場合においても、予め定められた時間だけ隔てた画像信号間の差分から、動きの信号成分が最も少ない角度方向を選択し、その角度方向の雑音を使って画像信号から減算することで、入力の画像信号には存在していなかった雑音が生じることなく雑音を低減させる画像信号の雑音軽減回路を提供することにある。
【００１５】
【課題を解決するための手段】
上述した従来の技術の課題を解決するための手段として第１の発明は、入力画像信号と予め定められた時間だけ隔てた画像信号との差分に、１次元または２次元のフィルタリングを施して雑音を抽出し、前記入力画像信号から前記雑音を減算して画像信号の雑音を軽減させるようにした画像信号の雑音軽減回路において、
前記差分から、水平方向成分の高域通過濾波器を介して得た信号の絶対値と、
前記差分から、垂直方向成分の高域通過濾波器を介して得た信号の絶対値とを比較し、
前記絶対値が小さな方の原信号を前記入力画像信号から減算して画像信号の雑音を軽減させるようにしたことを特徴とする画像信号の雑音軽減回路を提供するものである。
また第２の発明は、入力画像信号と予め定められた時間だけ隔てた画像信号との差分に、１次元または２次元のフィルタリングを施して雑音を抽出し、前記入力画像信号から前記雑音を減算して画像信号の雑音を軽減させるようにした画像信号の雑音軽減回路において、
前記差分から、水平方向成分の高域通過濾波器を介して得た信号の絶対値と、
前記差分から、垂直方向成分の高域通過濾波器を介して得た信号の絶対値と、
前記差分から、１つまたは複数の斜め方向成分の高域通過濾波器を介して得た信号の絶対値と、
前記差分から、前記１つまたは複数の斜め方向と直交する方向成分の１つまたは複数の高域通過濾波器を介して得た信号の絶対値とを比較し、
前記絶対値が最も小さい方の原信号を前記入力画像信号から減算して画像信号の雑音を軽減させるようにしたことを特徴とする画像信号の雑音軽減回路を提供するものである。
また第３の発明は、前記水平方向成分の高域通過濾波器、前記垂直方向成分の高域通過濾波器、前記１つまたは複数の斜め方向成分の高域通過濾波器、および前記１つまたは複数の斜め方向と直交する方向成分の１つまたは複数の高域通過濾波器は、それぞれの方向成分の高域通過濾波器毎に、通過帯域特性が異なる複数の高域通過濾波器が設けられると共に、前記それぞれの中で、通過信号の絶対値が最大の高域通過濾波器を選択する構成であることを特徴とする請求項２に記載の画像信号の雑音軽減回路を提供するものである。
【００１６】
【発明の実施の形態】
以下本発明の実施の形態につき、好ましい実施例により図面を参照して説明する。図１は本発明に係る画像信号の雑音軽減回路における第１の実施例を示すブロック図であり、図２は図１に示すの雑音軽減回路の動作を説明するための波形図である。図１において、１は雑音軽減の対象にされるべき画像信号の入力端子、２は出力端子、３、４は減算回路、５は水平方向成分のＨＰＦ（以下Ｈ−ＨＰＦと記す）、６は垂直方向成分のＨＰＦ（以下Ｖ−ＨＰＦと記す）、７は入力された２つの入力信号の絶対値を比較して絶対値の小さな方の原信号を出力させる信号選択出力回路、８は帰還係数回路、９はメモリ（例えばフィールドメモリ、あるいはフレームメモリのように、予め定められた期間の画像信号を記憶できるメモリ）である。
なおＨ−ＨＰＦ５とＶ−ＨＰＦ６はそれぞれ、水平方向成分のみ高域通過で垂直方向成分は利得０のＨＰＦ、　垂直方向成分のみ高域通過で水平方向成分は利得０のＨＰＦの特性を有する１次元または２次元の高域通過濾波器である。
【００１７】
以下図１に示されている本実施例の雑音軽減回路の動作について、その波形を示す図２を用いて説明する。図１の入力端子１　に供給された図２のＳａに示されている画像信号Ｓａが減算器３、４に対して被減数信号として与えられている。前記減算器４では、入力端子１を介して供給された入力画像信号Ｓａから、帰還係数回路８からの出力信号Ｓｆを減算した結果の信号Ｓｇ（図２のＳｇ）を出力端子２に送出するとともにメモリ９に供給する。
【００１８】
このメモリ９から出力された画像信号Ｓｂ（図２のＳｂ）は減算器３に減数信号として供給されており、減算器３では入力の画像信号Ｓａからメモリ９の出力信号Ｓｂを減算して得られる図２のＳｃに示されているような信号ＳｃをＨ−ＨＰＦ５とＶ−ＨＰＦ６とに供給する。
このＨ−ＨＰＦ５からの出力信号Ｓｄｈは図２のＳｄｈに示されており、Ｖ−ＨＰＦ６の出力信号Ｓｄｖは図２のＳｄｖに示されている。
【００１９】
前記の信号選択出力回路７では、それにＨ−ＨＰＦ５から供給されている信号Ｓｄｈと、Ｖ−ＨＰＦ６の出力信号Ｓｄｖとの２信号の絶対値を比較して、絶対値の小さい方の原信号を信号Ｓｅ（図２のＳｅ）として出力して帰還係数回路８に供給する。この帰還係数回路８としては、それに供給された信号が小さい場合には帰還係数が大きく、またそれに供給された信号が大きい場合には帰還係数が小さくなるような入出力特性を備えているものが使用される。
図３および図４はこの帰還係数回路８の入出力特性を例示したものである。
【００２０】
図１に示されている本実施例の雑音軽減回路は、１個のメモリ９（予め定められた時間だけ隔てた画像信号間の差分を発生させるために用いられるフィールドメモリ、あるいはフレームメモリ）を使用して構成された巡回型の雑音軽減回路であるが、この雑音軽減回路において、予め定められた時間だけ隔てた画像信号間の差分Ｓｃ、すなわち、減算器３から出力される差分の信号Ｓｃには、雑音と画像の動きの成分との双方が含まれている。
【００２１】
そして前記の減算器３から出力された差分の信号Ｓｃは、既述のようにＨ−ＨＰＦ５とＶ−ＨＰＦ６とに供給されていて、信号選択出力回路７では、Ｈ−ＨＰＦ５から供給されている信号ＳｄｈとＶ−ＨＰＦ６の出力信号Ｓｄｖとの２信号の絶対値を比較して、絶対値の小さい方の原信号を信号Ｓｅ（図２のＳｅ）として帰還係数回路８に供給しているから、入力端子１から供給されている信号Ｓａが被減数信号として供給されている減算器４に、帰還係数回路８の出力信号Ｓｆが供給されることにより減算器４から出力される出力信号Ｓｇは図２のＳｇに示されるものになる。このＳｇに示されている図１の雑音軽減回路の出力信号Ｓｇと既述した図８に示す従来例の雑音軽減回路からの出力信号を示す図９のＴｅとを比較すると、図１に示す本実施例の雑音軽減回路では図８に示す従来の雑音軽減回路における問題点を良好に解決していることが分かる。
【００２２】
同様に図２のＳｇに示されている図１の雑音軽減回路の出力信号Ｓｇと既述した図１０に示す従来例の雑音軽減回路からの出力信号を示す図１１のＵｆとを比較すると、図１に示す本実施例の雑音軽減回路では図１０に示す従来の雑音軽減回路における問題点も良好に解決していることが分かる。
【００２３】
次に本発明に係る画像信号の雑音軽減回路における第２の実施例を図５のブロック図を使って説明する。この第２の実施例（図５）が前記第１の実施例（図１）と大きく異なる点は、減算器３と帰還係数回路８の間に入るＨＰＦの部分（１０ａ、１０ｂ、１０ｃ）と信号選択出力回路７ａの動作である。なお、この部分以外については、図１と同じ構成であり、動作も同一であるので簡略化のために説明を省略する。
【００２４】
図５において減算器３の出力である差分の信号は、１０ａ、１０ｂ、１０ｃの３種のＨＰＦブロックに入力される。１０ａ、１０ｂ、１０ｃは、それぞれに、０度９０度４５度１３５度の、４つの角度方向の信号成分が通過するＨＰＦと、通過してきた信号の絶対値レベルが最小のものを選択する「ＡＢＳ　ＭＩＮ」回路で構成されている。また１０ａ、１０ｂ、１０ｃの違いは、各ブロックのＨＰＦの通過帯域特性の差異である。
まず、１０ａに接続された差分の信号は４つのＨＰＦに入力されるが、各ＨＰＦは特定方向の信号成分のみを通過するＨＰＦであるから、画像の動きの方向と一致するＨＰＦには大きな出力が現れる。これは逆に言うと、動きの方向と直交する方向のＨＰＦには動き成分の信号出力が現れないことになる。ＨＰＦの後の「ＡＢＳ　ＭＩＮ」回路は各ＨＰＦを通過した信号レベルの絶対値が最小のもの、すなわち動きの成分が最も少ない信号を選択し、そのＨＰＦを通過してきた信号（雑音）を次の信号選択出力回路７ａに送ることになる。
同様の動作を１０ｂ、１０ｃで行い、前記信号選択出力回路７ａにはそれぞれのブロックで最小レベルの３つの信号が入力される。このとき、１０ａ、１０ｂ、１０ｃのそれぞれのブロックで選択されるＨＰＦは、画像の動き方向と直交する角度に一番近い角度方向の同じ種類のものになる。
【００２５】
次に信号選択出力回路７ａに入力された前記３つの信号は、この回路で信号レベルの絶対値が最大のものが逐次選択され、次の帰還係数回路８に当該信号が入力される。この信号レベルの絶対値が最大のものを逐次選択する動作により、帰還係数回路８に入力される信号（雑音）は、同じ角度方向の３つのＨＰＦの通過帯域が合成された特性を通ってきたことと等価になる。そのため、１つのＨＰＦよりも広帯域となり、雑音軽減の効果が向上する特徴がある。
前記帰還係数回路８に入力された信号（雑音）は、これ以降、第１の実施例と同様な動作により入力端子１からの入力信号の雑音を軽減する。
【００２６】
次に図５の１０ａ、１０ｂ、１０ｃに使われる各ＨＰＦの特性について図６を用いて説明する。図６は、１つの画面の一部分を画素単位で表記してあり、本発明における第２の実施例および後で述べる第３の実施例において、ディジタル回路でＨＰＦを構成するときに扱う画素の位置が分かるように座標で示したもので、ｘは水平方向、ｙは垂直方向である。
図６において、前記図５の減算器３からの差分信号中の画素　Ｇ（４，４）を通す場合を例にとると、本実施例での各ＨＰＦ特性は次の式で表現される。
１．水平方向の信号成分のみ通過し垂直方向成分は通過しないＨＰＦ
０−ＨＰＦ１　：　［　Ｇ（４，４）／２　−　Ｇ（３，４）／４　−Ｇ（５，４）／４　］
０−ＨＰＦ２　：　［　Ｇ（４，４）／２　−　Ｇ（２，４）／４　−Ｇ（６，４）／４　］
０−ＨＰＦ３　：　［　Ｇ（４，４）／２　−　Ｇ（１，４）／４　−Ｇ（７，４）／４　］
２．垂直方向の信号成分のみ通過し水平方向成分は通過しないＨＰＦ
９０−ＨＰＦ１　：　［　Ｇ（４，４）／２　−　Ｇ（４，３）／４　−Ｇ（４，５）／４　］
９０−ＨＰＦ２　：　［　Ｇ（４，４）／２　−　Ｇ（４，２）／４　−Ｇ（４，６）／４　］
９０−ＨＰＦ３　：　［　Ｇ（４，４）／２　−　Ｇ（４，１）／４　−Ｇ（４，７）／４　］
３．４５度方向の信号成分のみ通過し１３５度方向成分は通過しないＨＰＦ
４５−ＨＰＦ１　：　［　Ｇ（４，４）／２　−　Ｇ（３，５）／４　−Ｇ（５，３）／４　］
４５−ＨＰＦ２　：　［　Ｇ（４，４）／２　−　Ｇ（２，６）／４　−Ｇ（６，２）／４　］
４５−ＨＰＦ３　：　［　Ｇ（４，４）／２　−　Ｇ（１，７）／４　−Ｇ（７，１）／４　］
４．１３５度方向の信号成分のみ通過し４５度方向成分は通過しないＨＰＦ
１３５−ＨＰＦ１　：　［　Ｇ（４，４）／２　−　Ｇ（３，３）／４　−Ｇ（５，５）／４　］
１３５−ＨＰＦ２　：　［　Ｇ（４，４）／２　−　Ｇ（２，２）／４　−Ｇ（６，６）／４　］
１３５−ＨＰＦ３　：　［　Ｇ（４，４）／２　−　Ｇ（１，１）／４　−Ｇ（７，７）／４　］
【００２７】
以上のように、本発明に係る第２の実施例では、図５の減算器３からの差分信号から雑音成分を取り出すとき、水平、垂直方向に加えて斜め方向についても画像の動き成分を検出するので、抽出した雑音に動き成分が含まれる割合が少なくなり、さらに、ＨＰＦが実質的に広帯域になるので、より良好な雑音軽減回路が構成できる。
【００２８】
次に本発明に係る画像信号の雑音軽減回路における第３の実施例を図７のブロック図を使って説明する。この図７が前記第２の実施例（図５）と異なる点は、減算器３と帰還係数回路８の間に入るＨＰＦの部分（１１ａ、１１ｂ、１１ｃ、１１ｄ）と信号選択出力回路７の動作である。
図７において、減算器３の出力である差分の信号は、１１ａ、１１ｂ、１１ｃ、１１ｄの４種のＨＰＦブロックに入力される。この４種のＨＰＦブロックは、それぞれ同一方向成分のみ通過する帯域特性の異なる３種のＨＰＦと、信号レベルの絶対値が最大のものを選択する回路「ＡＢＳ　ＭＡＸ」で構成されている。なおここで用いる各ＨＰＦは、前記第２の実施例のものと同一特性である。
減算器３から入力された差分の信号は、各ブロックのＨＰＦの中で最大レベルのものが選択されて次の信号選択出力回路７に入り、この信号選択出力回路７では信号レベルの絶対値が最小のものを選択して出力する。
以上の構成により、次の帰還係数回路８には、広帯域のＨＰＦの状態で動き成分の信号が最も少ない信号（雑音）が入力されることになる。
この第３の実施例は、各ＨＰＦを第２の実施例と同じ特性のものを使う場合には、雑音軽減の性能は同じになる。したがって、周辺回路を含めた設計の容易さや実装時の配置などからどちらか選択することになる。
【００２９】
なお第２の実施例と第３の実施例において、斜め方向成分を通過するＨＰＦとして、４５度、１３５度を例に挙げたが、これに限ることなく任意の角度およびそれに直交する角度の組み合わせで良く、さらに複数の角度を用いればより高性能な雑音軽減が行える。
また、同一方向のＨＰＦとして通過帯域特性の異なる３種類のＨＰＦを実施例に用いたが、さらに数を増やしてＨＰＦの総合帯域を広帯域化することが可能である。
【００３０】
【発明の効果】
本発明の雑音軽減回路によれば、上記のように特殊な構成が採用されたことにより、従来の雑音軽減回路で問題になっていた、入力画像信号と予め定められた時間だけ隔てた画像信号間の差分信号が、画像の動きによって大きなレベルとなる期間に帯状の残像が発生する現象がなくなる。
【００３１】
また、入力画像信号と予め定められた時間だけ隔てた画像信号間の差分には雑音と画像の動き成分が含まれているが、本発明では動き成分を含まない雑音を検出するために、通過する信号成分の角度方向が異なる複数のＨＰＦを設け、それぞれの通過信号のレベルから最適なＨＰＦを選択するようにしたので、従来の単一のＨＰＦによる構成で起きる問題の、動き成分による差分信号レベルの急変部分で雑音が生じるという現象を良好に解決しうる画像信号の雑音軽減回路を提供することができる。
【図面の簡単な説明】
【図１】本発明の第１の実施例に適用される画像信号の雑音軽減回路のブロック図である。
【図２】図１に示す雑音軽減回路の動作を説明するための波形図である。
【図３】帰還係数回路の特性例図である。
【図４】帰還係数回路の特性例図である。
【図５】本発明の第２の実施例に適用される画像信号の雑音軽減回路のブロック図である。
【図６】第２および第３の実施例で用いるＨＰＦの特性を説明ための座標の図である。
【図７】本発明の第３の実施例に適用される画像信号の雑音軽減回路のブロック図である。
【図８】従来技術による雑音軽減回路のブロック図の一例である。
【図９】図８に示す雑音軽減回路の動作を説明するための波形図である。
【図１０】従来技術による雑音軽減回路のブロック図の一例である。
【図１１】図１０に示す雑音軽減回路の動作を説明するための波形図である。
【符号の説明】
１　画像信号の入力端子
２　出力端子
３、４　減算回路
５　Ｈ−ＨＰＦ（水平方向の高域通過濾波器）
６　Ｖ−ＨＰＦ（垂直方向の高域通過濾波器）
７　信号選択出力回路（信号レベルの絶対値が最小を選択する）
７ａ　信号選択出力回路（信号レベルの絶対値が最大を選択する）
８　帰還係数回路
９　メモリ
１０ａ〜１０ｃ　異なる角度方向のＨＰＦ群と最小値選択回路
１１ａ〜１１ｄ　同一角度方向のＨＰＦ群と最大値選択回路
１２　ＨＰＦ（高域通過濾波器）
【図１】
2004048646.tif 000003
【図２】
2004048646.tif 000004
【図３】
2004048646.tif 000005
【図４】
2004048646.tif 000006
【図５】
2004048646.tif 000007
【図６】
2004048646.tif 000008
【図７】
2004048646.tif 000009
【図８】
2004048646.tif 000010
【図９】
2004048646.tif 000011
【図１０】
2004048646.tif 000012
【図１１】
2004048646.tif 000013